(57)【要約】【課題】竹に含有される有効成分の特性を利用して圃場環境を改善する暗渠を提供する。【解決手段】暗渠２０は、圃場１０に設けられた長溝２２と、長溝２２の底部に敷設され、上面壁に孔を設けられた給排水管２４と、長溝２２内の給排水管２４上に疎水材２６を充填し、充填した疎水材２６により形成される疎水材層１６と、疎水材層１６を被覆する作土層１２とを有してなる。また、暗渠２０は、疎水材２６として竹チップが用いられ、圃場１０へ給排水される水に、竹に含有される有効成分の特性を付与し、圃場環境を改善する。【選択図】図１
2011234624.tif 000002
【特許請求の範囲】
【請求項１】
圃場に設けられた長溝と、
前記長溝の底部に敷設され、筒状壁面に孔を設けられた給排水管と、
前記長溝内の前記給排水管上に疎水材として竹チップを充填し、充填した竹チップにより形成される疎水材層と、
前記疎水材層を被覆する作土層と
を有する
暗渠。
【請求項２】
前記疎水材層は、５ｍｍ以上４０ｍｍ以下の最大径を有する竹チップにより形成される
請求項１に記載の暗渠。
【請求項３】
前記給排水管は、節を抜いて内部を貫通させ、割り竹又は竹チップを繋いで形成される
請求項１に記載の暗渠。
【請求項４】
前記疎水材層は、竹チップにより形成される層と、破砕瓦、ホタテ貝殻、カキ貝殻、木チップ、籾ガラ、クリンカアッシュ、砕石、又は火山礫により形成される層とからなる
請求項１に記載の暗渠。
【請求項５】
圃場において、暗渠に交差するように、暗渠が有する給排水管より上位に設けられた長溝と、
長溝内に疎水材として竹チップを充填し、充填した竹チップにより形成される疎水材層と、
前記疎水材層を被覆する作土層と
を有する
補助暗渠。
【発明の詳細な説明】
【技術分野】
【０００１】
本発明は、暗渠に関するものである。
【背景技術】
【０００２】
例えば、特許文献１には、通水性及び排水性を有し、かつ土中に埋設されて暗渠を形成する埋設構造体において、竹により形成される芯材と、割竹により形成されて芯材を包囲する通水性の充填材と、割竹により竹簾状及び細長形状に形成されて充填剤の外周面に沿って配置される複数の外皮材と、外皮材の外側から充填剤及び芯材を緊束する緊締材とを備え、外皮材を構成する隣合う割竹間の間隙を通じて、土中から外皮材の内部に水分又は土砂が侵入して、外皮材の内部自体が微生物、小動物及び植物の育成に良好な培地又は培養基となることを特徴とする埋設構造体が開示されている。
【先行技術文献】
【特許文献】
【０００３】
【特許文献１】特開２００５−２３５４９号公報
【発明の概要】
【発明が解決しようとする課題】
【０００４】
本発明は、竹に含有される有効成分の特性を利用して圃場環境を改善する暗渠を提供する。
【課題を解決するための手段】
【０００５】
本発明の暗渠は、圃場に設けられた長溝と、前記長溝の底部に敷設され、筒状壁面に孔を設けられた給排水管と、前記長溝内の前記給排水管上に疎水材として竹チップを充填し、充填した竹チップにより形成される疎水材層と、前記疎水材層を被覆する作土層とを有する。
【０００６】
好適には、前記疎水材層は、５ｍｍ以上４０ｍｍ以下の最大径を有する竹チップにより形成される。
【０００７】
好適には、前記給排水管は、節を抜いて内部を貫通させた、割り竹又は竹チップを繋いで形成される。
【０００８】
好適には、前記疎水材層は、竹チップにより形成される層と、破砕瓦、ホタテ貝殻、カキ貝殻、木チップ、籾ガラ、クリンカアッシュ、砕石、又は火山礫により形成される層とからなる。
【０００９】
また、本発明の補助暗渠は、圃場において、暗渠に交差するように、暗渠が有する給排水管より上位に設けられた長溝と、長溝内に疎水材として竹チップを充填し、充填した竹チップにより形成される疎水材層と、前記疎水材層を被覆する作土層とを有する。
【発明の効果】
【００１０】
本発明によれば、竹に含有される有効成分の特性を利用して圃場環境を改善することができる。
【図面の簡単な説明】
【００１１】
【図１】暗渠２０を設けられた圃場１０の一部断面を含む斜視図である。
【図２】補助暗渠３０を設けられた圃場１１０の一部断面を含む斜視図である。
【発明を実施するための形態】
【実施例１】
【００１２】
図１は、暗渠２０を設けられた圃場１０の一部断面を含む斜視図である。
図１に例示するように、圃場１０には、複数の暗渠２０が並行して設けられている。暗渠２０は、長溝２２と、給排水管２４と、疎水材２６とから構成されている。
【００１３】
長溝２２は、圃場１０をトレンチャー等によって掘削して形成されたものである。長溝２２同士の間隔は、給排水量に応じて、適宜変更されればよいが、通常、７．５〜１２ｍである。また、長溝２２の深さは、給排水量に応じて、適宜変更されればよいが、通常、８００〜１２００ｍｍである。また、長溝２２の掘削幅（垂直断面の横幅）は、給排水量に応じて、適宜変更されればよいが、通常、１５０〜２００ｍｍである。また、長溝２２の形状は、特に限定するものではないが、例えば、給排水管２４への水の集中、及び給排水管２４からの水の広がりを考慮して、長手方向に対する垂直断面が逆台形になるように形成されることが好ましい。
【００１４】
給排水管２４は、長溝２２の底部に敷設されている。給排水管２４を形成するものは、特に限定するものではない。例えば、給排水管２４は、塩化ビニル等の合成樹脂管、素焼きの土管、又は竹管などを繋いで形成されればよい。給排水管２４の内径は、給排水量に応じて、適宜変更されればよいが、通常、５０〜１００ｍｍである。また、敷設された給排水管２４の上壁面には、孔が設けられている。この孔の大きさは、給排水量に応じて、適宜変更されればよいが、通常、２〜１０ｍｍである。
本例では、給排水管２４は、割り竹又は竹管を繋いで形成されている。竹管は、節を取り除いて、内部を貫通させ、上壁面に孔を設けた竹である。割り竹又は竹管の内部を通った水には、後述する竹チップと同様の有効成分が竹管から染み出し、圃場排水環境の改善に役立つ特性が付与される。
【００１５】
疎水材２６は、作土層１２の深さを残して、長溝２２内に充填され、疎水材層１６を形成する。疎水材２６により形成された疎水材層１６は、作土層１２により被覆される。
本例では、疎水材２６は、生竹を細かく裁断して形成される竹チップである。竹チップの大きさは、給排水量に応じて、適宜変更されればよいが、最大径（最大直径）が５ｍｍ以上４０ｍｍ以下であることが好ましい。
【００１６】
以上説明した構成により、排水時においては、圃場１０に貯えられた水は、作土層１２に浸透し、疎水材２６を介して、給排水管２４上へ迅速に到達する。給排水管２４上へ到達した水は、給排水管２４の上壁面に設けられた孔から給排水管２４内部へと侵入し、給排水管２４を通って、用水路などへ排水される。逆に、給水時においては、用水路などから給排水管２４へ取り入れられた水は、給排水管２４内部を満たし、給排水管２４の上壁面に設けられた孔から溢流する。給排水管２４から溢流した水は、疎水材２６を介して上昇していき、作土層１２に浸透し、圃場１０に貯えられる。
【００１７】
本例では、疎水材２６として竹チップを用いることで、疎水材２６を介して給排水される水には、竹チップから染み出した有効成分により、圃場環境の改善に役立つ特性が付与される。
より具体的には、疎水材２６を介して排水される水は、竹チップから染み出したアルカリ成分により、弱アルカリ性となり、圃場１０の土壌から排水される水に溶け出した鉄分が酸化するのを防止する。これにより、給排水管２４から排水される水に含まれる酸化鉄の量が軽減され、酸化鉄による小動物の死滅などの周辺環境への悪影響がなくなる。さらに、竹チップから放出されるマイナスイオンによっても、排水される水の水質浄化が期待される。
また、疎水材２６を介して給水される水では、竹チップからしみ出したメチオ二ン成分が酸化分解する過程でエチレンガスが発生して殺菌効果と防虫の忌避効果が得られる。また、メチオ二ンは抗酸化ミネラルであるセレン・セレ二ウムの運搬役であるため抗酸化作用も期待できる。
また、疎水材２６を介して給水される水は、竹チップから染み出たアミノ酸成分により、乳酸菌・酵母菌等の有用微生物が増殖し抗酸化・抗菌・消臭効果作用を付与され、圃場１０における作物の病害虫を防止することができる。
また、疎水材２６を介して給水される水は、竹チップから染み出したアミノ酸類（グリシン、グルタミン酸、アスパラギン酸など）により、作物の成長及び土壌環境の改善、並びに排水浄化に貢献する有用微生物を増殖させる特性を付与され、この有用微生物の働きにより、圃場環境を改善させる。さらに、竹の組織構造は、多孔質であるため、竹チップに有用微生物が定着しやすい。
【００１８】
以上説明したように、暗渠２０は、疎水材２６（給排水管２４に竹管を用いる場合は、疎水材２６及び給排水管２４）を介して、給排水される水に、竹に含有される有効成分の特性を付与し、圃場環境を改善することができる。
また、竹チップは、従来の籾ガラ及び木チップに比べ、土中での耐腐食性に優れる。これにより、疎水材２６を入れ替える時期の間隔が、籾ガラの場合は、５〜１０年、木チップの場合は、およそ１０〜３０年であったのが、竹チップの場合は、およそ３０年以上になる。
また、近年、竹林の拡大による森林被害が問題となっており、多くの竹が伐採されている。暗渠２０は、この伐採された竹を有効利用することができるものと期待されている。
【００１９】
［変形例１］
図２は、補助暗渠１３０を設けられた圃場１１０の一部断面を含む斜視図である。
図２に例示するように、圃場１１０には、暗渠２０に交差するように、複数の補助暗渠１３０が、並行して設けられている。補助暗渠１３０は、長溝１３２と、疎水材１３４とから構成されている。なお、本図では、図１の各構成と実質的に同一のものには、同一の符号が振られている。
【００２０】
長溝１３２は、暗渠２０と交差するように、圃場１０をトレンチャー等によって掘削して形成されたものである。長溝１３２同士の間隔は、給排水量に応じて、適宜変更されればよいが、通常、４〜６ｍである。また、長溝１３２の深さは、給排水量に応じて、適宜変更されればよいが、通常、５００〜７００ｍｍである。また、長溝２２の掘削幅（垂直断面の横幅）は、給排水量に応じて、適宜変更されればよいが、通常、７０〜１００ｍｍである。また、長溝１３２の底部は、長溝１３２の形成時に給排水管２４との干渉を避けるため、少なくとも暗渠２０の給排水管２４より上位にあることが好ましく、さらに、給排水の促進のため、少なくとも耕盤１４より下位にあることが好ましい。なお、耕盤１４は、農業機械による踏圧と、土壌コロイドの沈下により形成されるものであり、心土層１８から作土層１２への給水及び作土層１２から心土層１８への排水を阻害するものである。
【００２１】
疎水材１３４は、作土層１２の深さを残して、長溝１３２内に充填され、疎水材層１６を形成する。疎水材１３４を充填された疎水材層１６は、作土層１２を形成する土壌により被覆される。
本例では、疎水材１３４は、暗渠２０の疎水材２６と同様に、竹チップであり、疎水材１３４を介して給排水される水には、竹チップから染み出した有効成分により、圃場環境の改善に役立つ特性が付与される。
【００２２】
以上説明した構成により、排水時においては、圃場１１０に貯えられた水は、作土層１２に浸透し、補助暗渠１３０の疎水材１３４を介して、暗渠２０の疎水材２６へと到達し、暗渠２０により排水される。逆に、給水時においては、暗渠２０の疎水材２６を介して上昇してきた水は、さらに補助暗渠１３０の疎水材１３４を介して上昇していき、作土層１２に浸透し、圃場１１０に貯えられる。これにより、補助暗渠１２０は、圃場１１０において広範囲の給排水を可能にし、耕盤１４の形成により失われた圃場１１０の給排水能力を取り戻すことができる。
また、補助暗渠１３０の疎水材１３４として、竹チップを用いることにより、上記実施例と同様に、補助暗渠１３０を介して給排水される水に、竹に含有される有効成分の特性を付与し、圃場環境を改善することができる。
【００２３】
［変形例２］
上記竹チップに、微生物を担持させてもよい。効果としては、水質浄化などが期待できる。
上記竹チップに、アルカリ酵素を排出する微生物を担持させてもよい。効果としては、酸化予防などが期待できる。
【００２４】
［その他変形例］
上記実施例及び変形例１では、疎水材２６及び１３４として、竹チップのみを用いたが、これに限定するものではなく、竹チップとその他素材とを用いて、竹チップにより形成される層と、その他素材により形成される層とからなる疎水材層１６を形成してもよい。なお、その他素材は、例えば、破砕瓦、ホタテ貝殻、カキ貝殻、木チップ、籾ガラ、クリンカアッシュ、砕石、又は火山礫などであればよい。
【符号の説明】
【００２５】
１０      圃場
１２      作土層
１４      耕盤
１６      疎水材層
１８      心土層
２０      暗渠
２２      長溝
２４      給排水管
２６      疎水材
１１０    圃場（変形例１）
１３０      補助暗渠
１３２      長溝
１３４      疎水材
【図１】
2011234624.tif 000003
【図２】
2011234624.tif 000004